【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  基端（２２）および末端（２３）、加圧流体を貯蔵するための、前記基端のエラストマーバルブ（２１）、前記末端の流体受容器（２０）、並びに使用時に前記バルブから前記受容器まで流体が流れるようにするために前記バルブと前記受容器を接続する内腔（１２）を備え、更に上記流れを望むまで上記流れを阻止するための、前記内腔の前記基端の制御装置（２５）を含む医療装置（１０）に於いて、
上記制御装置（２５）が、前記内腔をその基端で塞ぎ更に分割線を含むプラグ（２６）を含み、前記分割線は、前記内腔の外部からの手動操作によって、前記プラグを二つの別々の部分に分割させることが出来、そのような分割は、前記流体受容器（２０）を完全に満たすために前記エラストマーバルブ（２１）から前記受容器へ内腔に沿った流体連通を開始する効果を有し、
前記プラグは共軸の軸（２７）及び前記軸の直径の少なくとも２倍の直径の環部（２５）とを有し、前記軸と前記環部とは前記分割線で接続され、前記環部は小端と大端とを備えるテーパー部分を有し、前記小端は前記軸から離れており、前記環部は円筒形部分を有し、前記円筒形部分は前記プラグの軸線方向において前記テーパー部分と前記軸との間に配置され、前記円筒形部分の直径は前記テーパー部分の前記大端の直径より大きく、前記テーパー部分の前記大端と前記円筒形部分との間に段を形成することを特徴とする装置。
【請求項２】  請求項１で請求する装置に於いて、前記バルブ（２１）を、前記バルブの壁厚を通る流体の通過を阻止する物質で塗被した装置。
【請求項３】  請求項２で請求する装置に於いて、前記被膜が前記バルブ壁厚の外側にある装置。
【請求項４】  請求項２で請求する装置に於いて、前記被膜が前記バルブ壁の内側面にある装置。
【請求項５】  請求項１で請求する装置に於いて、前記プラグ（２６）が前記プラグの基端面から基端の方へ拡がる流体を通さないスカート膜を坦持する装置。
【請求項６】  請求項１ないし請求項５の何れか一つで請求する装置に於いて、前記受容器がバルーン（２０）である装置。
【請求項７】  請求項１ないし請求項の何れか一つで請求する装置に於いて、当該医療装置がカテーテル（１０）である装置。
【請求項８】  請求項７で請求する装置に於いて、当該カテーテルが排液カテーテルである装置。
【請求項９】  基端（２２）および末端（２３）、並びにそれらの間に伸びる第１および第２内腔を有し、前記第１内腔が排液内腔の役をし、且つその末端に流体流入口およびその基端に流体排出継手を有し、前記第２内腔がその基端の流体供給要素（２１）からその末端の流体受容器バルーン（２０）へ膨張流体を運ぶ役をし、前記流体供給要素（２１）と前記流体排出継手を前記内腔の基端に並べて配置した、排液カテーテル（１０）である医療装置であって、
前記流体排出継手と前記流体供給要素の両方の周りに拡がるスリーブに特徴がある装置。
【請求項１０】  請求項９で請求する装置に於いて、前記流体供給要素が上記流体で膨らまされるべきエラストマーバルブであり、前記スリーブが、上記バルブ（２１）のエラストマー材料より上記流体に一層不浸透性の材料製で、それによって前記バルブの壁厚を通る前記バルブ（２１）から半径方向の流体の損失速度を低下する効果を有する装置。
【請求項１１】  請求項１０で請求する装置に於いて、前記制御装置（２５）が前記第２内腔をその基端で塞ぎ更に分割線を含むプラグを含み、前記分割線は、前記内腔の外部からの手動操作によって、前記プラグを二つの別々の部分に分割させることが出来、そのような分割は、前記流体受容器（２０）を完全に満たすために前記エラストマーバルブ（２１）から前記受容器へ前記内腔に沿った流体連通を開始する効果を有する装置。
【請求項１２】  請求項１ないし請求項１１の何れか一つで請求する装置に於いて、前記受容器（２０）をエラストマーで作った装置。
【請求項１３】  請求項１ないし請求項１２の何れか一つで請求する装置で、ラテックスゴムで作った装置。
【請求項１４】  請求項１ないし請求項１３の何れか一つで請求する装置に於いて、前記流体が液体であり、前記流体供給要素（２１）が上記流体を含む装置。
【請求項１５】  請求項１４で請求する装置に於いて、前記流体が水である装置。
【請求項１６】  請求項１ないし請求項８、請求項１１の何れか一つ、または請求項１１に従属する請求項１２ないし請求項１５の何れか一つで請求する装置に於いて、前記プラグの前記環部の直径は前記軸の少なくとも３倍である装置。
【請求項１７】  請求項１６で請求する装置に於いて、前記環部が基端面（３０）および末端面（２８）並びにこれら二つの端面間に伸びる孔（２９）を備える材料の環（２６）を含む装置。
【請求項１８】  請求項１６または請求項１７で請求する装置に於いて、上記軸（２７）が前記環部の基端の方へ、それと同軸に伸び、且つ外径が上記環部（２６）の外径より実質的に小さい装置。
【請求項１９】  請求項１８で請求する装置に於いて、前記軸が前記環部の孔（２９）内に摩擦嵌めしてある装置。
【請求項２０】  請求項１８で請求する装置に於いて、前記軸（２７）が前記環部と一体であり、且つそれに弱い円（３１）によって接合してある装置。
【請求項２１】  請求項２０で請求する装置に於いて、前記環部と前記軸を一緒に成形ポリマ材料の単品だけとして作った装置。
【請求項２２】  請求項１６ないし請求項２１の何れか一つで請求する装置に於いて、前記プラグの前記環部の軸線方向長さはその最大直径より大きい装置。
【請求項２３】  請求項１ないし請求項２２の何れか一つで請求する装置に於いて、前記円筒形部の長さはその半径より小さい装置。
【請求項２４】  請求項１ないし請求項２３の何れか一つで請求する装置に於いて、前記テーパー部分が切頭円錐形或いはほぼ切頭円錐形の部分を備え、前記切頭円錐形或いはほぼ切頭円錐形の部分の小端は前記テーパー部分の前記小端より大きい装置。
【請求項２５】  請求項１ないし請求項２４の何れか一つで請求する装置に於いて、前記テーパー部分が切頭円錐形或いはほぼ切頭円錐形の部分を備え、前記切頭円錐形或いはほぼ切頭円錐形の部分の小端は前記テーパー部分の前記小端を形成する装置。
【請求項２６】  請求項２４に従属する請求項２５で請求する装置であって、前記テーパー部分は、異なる円錐角の第一と第二の切頭円錐形或いはほぼ切頭円錐形の部分を備え、前記テーパー部分の直径は軸線に沿って、前記テーパー部分の前記大端よりも前記テーパー部分の前記小端近くでより大きな割合で変化する装置。
【請求項２７】  請求項１ないし請求項２６の何れか一つで請求する装置に於いて、前記軸は円筒形である装置。
【請求項２８】  請求項１ないし請求項２７の何れか一つで請求する装置に於いて、前記流体供給要素（２１）は、注入器弁（２４）によって閉ざされた開放基端（２２）を有する装置。
【請求項２９】  請求項１ないし請求項２８の何れか一つで請求する装置に於いて、排液カテーテルである装置。
【請求項３０】  請求項２９で請求する装置に於いて、前記カテーテルがフォーリーカテーテルである装置。
【請求項３１】  請求項１ないし請求項３０の何れか一つで請求する装置内で流れ制御装置として使用されるプラグであり、前記プラグは環部及び前記環部の直径の半分以下の直径の軸とを有し、前記軸と前記環部とは分割線で接続され、前記環部は小端と大端とを備えるテーパー部分を有し、前記小端は前記軸から離れており、前記環部は円筒形部分を有し、前記円筒形部分は前記プラグの軸線方向において前記テーパー部分と前記軸との間に配置され、前記円筒形部分の直径は前記テーパー部分の前記大端の直径より大きく、前記テーパー部分の前記大端と前記円筒形部分との間に段を形成することを特徴とするプラグ。
【請求項３２】  医療装置の内腔の中にプラグを配置する方法であって：
i.    環状部および前記環状部と同軸で、前記環状部より直径が実質的に小さい軸を備え、前記環状部が前記内腔壁を封止する、プラグを用意する工程；
ii.   上記プラグを受けるために、前記内腔の開放端を差し出す工程；
iii.  前記プラグの軸を注入器ロッドと係合させる工程；
iv.   前記注入器ロッドを前記内腔開放端の中へ前記内腔に沿って前記内腔の中の所望の位置まで進める工程；
を含む方法。
【請求項３３】  医療装置の内腔の中に軸付きプラグを配置するための器具であって：
i.    上記内腔の開放端と係合し且つ拡げるための拡張フィンガ；および
ii.   前記プラグの軸と係合し、前記プラグを前記開放端の中へ前記内腔に沿って前記内腔の中の所望の位置まで進めるための注入器ロッド；
を含む器具。
【請求項３４】  請求項９、または請求項９に従属する請求項１０ないし請求項３０の何れか一つで請求する器具に於いて、前記スリーブが収縮包装材料製である器具。
【請求項３５】  請求項１ないし請求項８の何れか一つで請求する器具に於いて、前記エラストマーバルブに収縮包装材料でスリーブを付けられた器具。
【請求項３６】  請求項３４または請求項３５で請求する器具に於いて、前記スリーブ材料のそれを通る水の拡散に対する透過率がラテックスゴムの透過率より小さい器具。
【請求項３７】  請求項３４または請求項３５で請求する器具に於いて、前記収縮包装材料がポリエチレンである器具。
【請求項３８】  請求項３４ないし請求項３７の何れか一つで請求する器具に於いて、前記収縮包装スリーブが引裂きストリップを組込んだ器具。